(57)【要約】【課題】演出の斬新さ、遊技者へのインパクトを一層強めることができ、満足する演出効果が得られるパチンコ機を提供する。【解決手段】盤面に図柄表示画面２及びその周囲を飾る装飾部品１を配置し、これらの配置領域で視覚上の演出を行うパチンコ機であって、装飾部品１を、固定装飾部品３及び可動装飾部品４で構成する。固定装飾部品３は、画面２を跨ぐ位置にあって各々の一方端が画面２の外周に位置し、同他方端が画面２から遠ざかる方向に延出する一対の線状発光部４１を備える。また可動装飾部品４を、固定装飾部品１と組み合う第１位置及び一対の線状発光部４１の延出方向に沿った下方の第２位置相互間を移動可能に構成する。一対の線状発光部４１の発光による演出領域の拡張、可動装飾部品４の移動によるダイナミック感の付与、画面２による線状発光画像４６やその他の演出画像の表示を、適宜に組み合わせることができ、様々な場面で様々な演出を行うことを可能とした。【選択図】図２
2008113954.tif 000002
【特許請求の範囲】
【請求項１】
遊技盤面に、図柄表示画面とこの図柄表示画面の周囲を飾る装飾部品とが配置され、これら図柄表示画面及び装飾部品の配置領域にて視覚上の演出を行うパチンコ機であって、
前記装飾部品は固定装飾部品及び可動装飾部品からなり、
前記固定装飾部品は、前記図柄表示画面を跨ぐ位置にあって各々の一方端が前記図柄表示画面の外周又はその近傍に位置し、同他方端が前記図柄表示画面から遠ざかる方向に延出する一対の線状発光部を有し、
前記可動装飾部品は、前記固定装飾部品と組み合う第１位置及び前記一対の線状発光部の延出方向に沿った下方の第２位置相互間を移動可能に構成されたことを特徴とするパチンコ機。
【請求項２】
予め決められたタイミングで、前記一対の線状発光部を発光させると共に、その一対の発光相互を結ぶように線状発光画像を前記図柄表示画面に表示させ、かつ、前記タイミングで又はこのタイミング後の所定時点に、前記可動装飾部品を第１位置から第２位置に移動させる演出制御手段が付加されたことを特徴とする請求項１に記載のパチンコ機。
【請求項３】
前記固定装飾部品は発光制御可能な電飾部を有し、
この電飾部を有した固定装飾部品の配置面よりも前面側の面に前記可動装飾部品が配置され、
その可動装飾部品の、前記第１位置は前記固定装飾部品の前記電飾部を含む予め決められた隠蔽領域を覆う位置に設定され、かつ、前記第２位置は前記第１位置で覆われる前記隠蔽領域のうちの少なくとも前記電飾部を含む所定領域を現出させる位置に設定されたことを特徴とする請求項１又は２に記載のパチンコ機。
【発明の詳細な説明】
【技術分野】
【０００１】
本発明は、遊技盤面の、図柄表示画面及びこの図柄表示画面を囲む部品が配置された領域で視覚上の演出を行うパチンコ機に関するものである。
【背景技術】
【０００２】
従来、この種のパチンコ機には、遊技盤中央部の図柄表示画面を各々跨ぐように第１ランプ表示部及び第２ランプ表示部を設け、図柄表示画面の画面表示と第１，第２ランプ表示部の点灯表示とを組み合わせて光りの演出を行うというものがあった（特許文献１参照）。
また、文字，図柄等を可変表示する可変表示部及び可動体を備え、可動体が可変表示部周辺部に位置してその可変表示部の表示態様と対応して動くことで視覚上の演出行うというものがあった（特許文献２参照）。
【特許文献１】特開２００４−２８３２４６号公報
【特許文献２】特開２００１−３８００５号公報
【発明の開示】
【発明が解決しようとする課題】
【０００３】
しかしながら、特許文献１，２に記載の発明では、各々斬新さを有し、遊技者にインパクトを与えることができるという利点はあるものの、全体としては未だ満足できる演出効果を得ることができなかった。
本発明の課題は、演出の斬新さ、遊技者へのインパクトを一層強めることができ、満足する演出効果が得られるパチンコ機を提供することにある。
【課題を解決するための手段】
【０００４】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。なお、各手段においては、必要に応じてその作用等についても述べる。
【０００５】
（１）遊技盤面に、図柄表示画面とこの図柄表示画面の周囲を飾る装飾部品とが配置され、これら図柄表示画面及び装飾部品の配置領域にて視覚上の演出を行うパチンコ機であって、前記装飾部品は固定装飾部品及び可動装飾部品からなり、前記固定装飾部品は、前記図柄表示画面を跨ぐ位置にあって各々の一方端が前記図柄表示画面の外周又はその近傍に位置し、同他方端が前記図柄表示画面から遠ざかる方向に延出する一対の線状発光部を有し、前記可動装飾部品は、前記固定装飾部品と組み合う第１位置及び前記一対の線状発光部の延出方向に沿った下方の第２位置相互間を移動可能に構成されたことを特徴とするパチンコ機。
装飾部品は、遊技盤面のほぼ中央に配置される図柄表示画面の周囲を飾る装飾部品、つまりセンタ飾りへの適用が好例である。しかし、基本的には図柄表示画面の遊技盤面上の位置に制約はない。
線状発光部の発光は、直線状とすれば簡単な発光部材形状で、その先端（上記他方端）を図柄表示画面から最も遠ざけることができて演出領域に広がりを持たせ得るが、必ずしも直線状でなくてもよい。例えば、稲妻形や弧状であってもよい。
可動装飾部品の第１位置及び第２位置相互間の移動は、基本的には双方向に可能である。この移動は、図柄表示画面に表示される画像による所定の演出時や線状発光部の発光時に合わせて行われ、顕著な演出効果を発揮し得る。
図柄表示画面は所望の図柄、画像を表示可能であり、前記一対の線状発光部の発光に合わせて線状発光画像を表示することも可能である。
【０００６】
（２）予め決められたタイミングで、前記一対の線状発光部を発光させると共に、その一対の発光相互を結ぶように線状発光画像を前記図柄表示画面に表示させ、かつ、前記タイミングで又はこのタイミング後の所定時点に、前記可動装飾部品を第１位置から第２位置に移動させる演出制御手段が付加されたことを特徴とする（１）項に記載のパチンコ機。
演出制御手段は、一対の線状発光部を発光させると共に、その一対の発光相互を結ぶように線状発光画像を前記図柄表示画面に表示させ、かつ、予め決められたタイミングで又はこのタイミング後の所定時点に、前記可動装飾部品を第１位置から第２位置に移動させる。
上記可動装飾部品を移動させるタイミングにつき、線状発光画像を表示させるタイミング後の所定時点とは、通常は、線状発光画像の表示直後を指す。また、線状発光画像の表示後の可動装飾部品の移動に不自然さを感じさせない時間、つまり、線状発光画像の表示と何らかの関係をもって可動装飾部品が移動したと感じ得る時間であれば、線状発光画像の表示直後を超える時間であってもよい。これは、一対の線状発光部の発光と線状発光画像が、例えば斬りつけた刀の刃先の軌跡を表し、可動装飾部品の移動が、切られた対象物の落下を表すとしたとき、それらの間に演出上、間（ま）を持たせることがあるが、この場合の間（経過時間）を許容する主旨である。
線状発光画像は、線状発光部の形状、換言すれば線状発光部の発光形状、と同じ線状、例えば直線状にすることに限定されず、稲妻形や弧状等であってもよい。通常は、線状発光部による発光形状に合わされるが、線状発光部による発光形状が直線状でありながら線状発光画像は稲妻形とする、というように別形状であってもよい。
【０００７】
（３）前記固定装飾部品は発光制御可能な電飾部を有し、この電飾部を有した固定装飾部品の配置面よりも前面側の面に前記可動装飾部品が配置され、その可動装飾部品の、前記第１位置は前記固定装飾部品の前記電飾部を含む予め決められた隠蔽領域を覆う位置に設定され、かつ、前記第２位置は前記第１位置で覆われる前記隠蔽領域のうちの少なくとも前記電飾部を含む所定領域を現出させる位置に設定されたことを特徴とする（１）項又は（２）項に記載のパチンコ機。
可動装飾部品の第１位置から第２位置への移動時、つまり可動装飾部品により覆われていた隠蔽領域中の電飾部を含む所定領域を現出させる移動において、その移動と共に電飾部が作動することにより、顕著な演出効果を発揮し得る。
電飾部は発光制御可能であって、この発光制御による点灯、点消灯あるいは点滅が上記作動に含まれる。電飾部は、通常、複数の光源を備え、この複数の光源を適宜配列し、あるいは散在させ、その各々について発光制御することにより、多様な電飾演出が可能である。
【発明の効果】
【０００８】
（１）項に記載の発明では、図柄表示画面を跨ぐ位置にあって各々の一方端が図柄表示画面の外周又はその近傍に位置する一対の線状発光部の各他方端が、図柄表示画面から遠ざかる方向に延出するので、その発光時には演出領域に広がりを持たせ得る。
したがって、この一対の線状発光部の発光を、図柄表示画面に表示される画像による所定の演出時に合わせて行えば、視覚上の演出領域を広げることができる。特に、一対の線状発光部の各一方端を結ぶ線状発光画像の図柄表示画面への表示と合わせて行えば、一方の線状発光部の発光→図柄表示画面における線状発光画像→他方の線状発光部の発光と、線状の発光が繋がり、視覚上の演出領域を最大限に広げることができ、顕著な演出効果を発揮し得る。
のみならず、可動装飾部品の移動はそれ自体でダイナミックな演出が可能となるが、この移動を、図柄表示画面に表示される画像による所定の演出時や線状発光部の発光時に合わせて行えば、特に、一対の線状発光部の発光、図柄表示画面による線状発光画像の表示に合わせて行えば、更に顕著な演出効果を発揮し得る。
つまり、一対の線状発光部の発光による演出領域の拡張、可動装飾部品の移動によるダイナミック感の付与、図柄表示画面による線状発光画像やその他の演出画像の表示を、適宜に組み合わせ得、様々な場面で様々な演出を行うことができ、演出の斬新さ、遊技者へのインパクトを一層強め、満足する演出効果が得られるパチンコ機を提供できる。
【０００９】
（２）項に記載の発明によれば、一方の線状発光部の発光から、図柄表示画面における線状発光画像を経て、他方の線状発光部の発光に至る、線状に繋がった発光による演出領域を拡張する演出を行うことができる。同時に、又はその所定時間後に、可動装飾部品の移動によるダイナミック感を付与する演出を行うことができ、演出の斬新さ、遊技者へのインパクトを一層強め、満足する演出効果が得られるパチンコ機を提供できる。
【００１０】
（３）項に記載の発明では、固定装飾部品は発光制御可能な電飾部を有している。そして可動装飾部品は、固定装飾部品の上記電飾部を含む隠蔽領域を覆う第１位置、及びこの第１位置で覆われる隠蔽領域のうちの電飾部を含む領域を現出させる第２位置相互間を移動可能である。
したがって、可動装飾部品の移動時に、それまで覆われていた隠蔽領域の電飾部を発光制御でき、これにより隠蔽領域の電飾部を様々に発光可能である。つまり、可動装飾部品の移動に合わせて現出した隠蔽領域において、様々に制御される発光も行え、全体的にダイナミックで動作範囲をより大きく見せ得る。したがって、この（１）項に記載の発明によれば、演出動作の斬新さ、遊技者へのインパクトを一層強め得るパチンコ機を提供できる。
【発明を実施するための最良の形態】
【００１１】
以下、本発明の実施の形態を図面に基づき説明する。なお、各図間において、同一符号は同一又は相当部分を示す。
図１及び図２は、各々本発明に係るパチンコ機の一実施形態の要部を示す正面図で、図１は基本状態、図２は演出状態を示している。
これらの図において、装飾部品１は、後述する遊技盤面に配置される図柄表示画面（図柄表示装置の画面）２の周囲を飾る盤面構成部品であり、固定装飾部品３と可動装飾部品４とを備えてなる。
なお、図１，図２においては、他の箇所との境界を明確にするため、可動装飾部品４の輪郭を太線で強調して描いたが、可動装飾部品４の外周に実際に太線が描かれているとの限定をするものではない。
【００１２】
本実施形態において、上記固定装飾部品３は、図３に取り出して示すように、図柄表示画面２の全周を囲むほぼ四辺形の枠状に形成されている。
またこの固定装飾部品３は、図柄表示画面２を跨ぐ位置にあって各々の一方端が図柄表示画面２の外周又はその近傍に位置し、同他方端が図柄表示画面２から遠ざかる方向に延出する一対の線状発光部４１，４１を有して構成されている。一対の線状発光部４１，４１は、図示例では固定装飾部品３の四辺形の図中左上方の隅部から右下方の隅部を結ぶ対角線上に、各々直線状に配設されている。
一対の線状発光部４１，４１は、図４に取り出して示すように、各々四角形の透明板４２と複数の光源、ここでは４つのＬＥＤ４３とからなる。透明板４２は、後端面４４にレンズカット加工が施され、このレンズカット加工された後端面４４に近接対向して４つのＬＥＤ４３が配列され、この４つのＬＥＤ４３の点灯により、その前端面４５、つまり図１，図２において直線状に露出している正面部分が発光し、直線状に輝いて見える。レンズカット加工を後端面４４ではなく、前端面４５に施してもよい。正面部分が発光して直線状に輝いて見えれば、その他の方法を採用してもよい。
【００１３】
図２中、４６は、上記一対の線状発光部４１，４１による発光相互を結ぶように図柄表示画面２に表示される線状発光画像である。この線状発光画像４６は、後述する演出制御装置によって一対の線状発光部４１，４１による発光と同時に図柄表示画面２に表示される。これによれば、一方の線状発光部４１の発光→図柄表示画面２における線状発光画像４６→他方の線状発光部４１の発光と、線状の発光が繋がり、視覚上の演出領域が最大限に広がる。
【００１４】
本実施形態において、固定装飾部品３は、発光制御可能な電飾部５をその四辺形の上辺側部分、下辺側部分及び右辺側部分に有する。なお本実施形態では、下辺側部分及び右辺側部分の各電飾部の説明は省略し、上辺側部分の電飾部５についてのみ説明する。
【００１５】
電飾部５は、その全ての構成を固定装飾部品３に備えるようにしてもよいが、ここでは、固定装飾部品３に備えられた透光性を有する飾り部６と、この透光性飾り部６の後面側に、同透光性飾り部６の面方向に複数の光源を配置してなる光源ユニット（図示せず）とから構成されている。
上記複数の光源は、配列あるいは散在され、発光制御によって多様な電飾演出が可能である。複数の光源には、豆球、ＬＥＤ等が用いられるが、固定装飾部品３の透光性飾り部６の後面側に配置されるので、輝度が高いことが望まれる。ここではＬＥＤが用いられ、光源ユニットは透光性飾り部６の面方向、特に図中左右方向にその複数のＬＥＤ（図示せず）が散在されてなる。
【００１６】
図示例では、固定装飾部品３の上辺側部分はそのほぼ全域が透光性飾り部６を形成している。またこの透光性飾り部６には、淡い桃色に着色され桃の花を模した浮彫り（桃の花浮彫り）８が施されている。上記複数のＬＥＤは、この桃の花浮彫り８位置に合わせて配置されている。固定装飾部品３の上辺側部分の上部右側には桃の実を模した浮彫り（桃の実浮彫り）９も施されている。
固定装飾部品３の右辺側部分には般若面形状の装飾部材（般若面装飾部材）１０が取り付けられている。この般若面装飾部材１０の前方（図示面に対して手前方向）に突出する部分の最先端は固定装飾部品３の配置面位置より前方に突出しないか、しても僅かとなるように設定されている。すなわち、固定装飾部品３の配置面よりも前面側の面に配置される可動装飾部品４の後述移動時に、般若面装飾部材１０がその移動を妨害しないように設定されている。
【００１７】
上記可動装飾部品４は、図５に取り出して示すように、図柄表示画面２の上辺側部分から右辺側部分に亘る半周を囲むほぼ¬状（かぎ状）に形成され、少なくとも上辺側部分は全域が透光性を有し、その前面には飾り部１１を有する。この飾り部１１には、図示するように「桃太郎侍」という装飾文字からなる浮彫り（桃太郎侍文字浮彫り）１２が施されている。可動装飾部品４の上辺側部分全域が透光性を有するので、上記光源ユニットの光源からの光りは、固定装飾部品３の透光性飾り部６及び可動装飾部品４の上辺側部分（透光性領域）を透過して装飾部品１の前面側から見ることができる。つまり、可動装飾部品４の電飾部５を覆う上辺側部分（透光性領域）においても間接的ではあるが電飾効果を発揮できる。
【００１８】
この可動装飾部品４は、固定装飾部品３の配置面よりも前面側の面に配置され、図１に示す第１位置（基本状態の位置）と図２に示す第２位置（演出状態の位置）との間を双方向に移動可能である。
図１，図２から分かるように、第１位置は、固定装飾部品３の電飾部５のほぼ全域に亘って設定された隠蔽領域１３を覆う位置である。また第２位置は、第１位置で覆われる隠蔽領域１３のうちの少なくとも電飾部５を含む所定領域、ここでは桃の花浮彫り８部分の上半分の領域、を現出させる位置である。
【００１９】
第１位置と第２位置との間を双方向に移動させる機構（可動装飾部品４の駆動機構）は、リンクや歯車等を用いた種々の機構のうち、どの機構を用いてもよい。本実施形態では、全体を図示しないがリンク機構が用いられている。図３中の３１は、リンク機構の出力レバーを示している。この出力レバー３１は支点３２において軸支され、その作用端３３が可動装飾部品４に連結されており、可動装飾部品４は、上記出力レバー３１等の正転、逆転により、第１位置と第２位置との間を双方向に移動する。
なお、図３中の３４は、可動装飾部品４の後面に形成されたガイド用のレール部や溝等（図示せず）に係合してあるいは填り込んで、可動装飾部品４の上記移動の際にガイドとして機能するガイド部材である。
【００２０】
本実施形態では、図１，図２を比較対照して分かるように、固定装飾部品３と一体をなす装飾部材１４が可動装飾部品４の前面側に位置しているが、この装飾部材１４は、本発明における固定装飾部品３には含まれない。このような装飾部材１４は、固定装飾部品３や可動装飾部品４により装飾しきれなかった場合の補助装飾、あるいは可動装飾部品４の駆動機構の目隠し等に用いて有効である。
【００２１】
図６は、上述した装飾部品１がセンタ飾りとして用いられた本発明に係るパチンコ機の遊技盤面の一例を示す図である。
この図に示すように、遊技盤面（以下、盤面と略記する。）５１には、レール５２が取り付けられており、このレール５２の内側には、遊技領域５３が形成されている。レール５２は、図示しないハンドルの操作により発射された遊技球（図示せず）を盤面５１の左側上部から遊技領域５３へ送り込むように案内する。
【００２２】
盤面５１には、レール５２の他にも種々の盤面構成部品が設けられている。
すなわち、盤面５１のほぼ中央には液晶表示器等からなる図柄表示装置の画面（図柄表示画面）２が配置されている。そして、その図柄表示画面２の周囲には、図１，図２示す装飾部品１がセンタ飾りとして配置され、図柄表示画面２の周囲を装飾している。
図柄表示画面２の下方には始動入賞口５４が設けられ、また、始動入賞口５４の下方には大入賞口５５が設けられている。その他、いくつかの一般入賞口５６が盤面１上に設けられている。
上記大入賞口５５は、開放時に、他の入賞口５４，５６よりも入賞が著しく容易な形態となるように、ここでは入賞開口が著しく大きくなるように構成されている。
【００２３】
盤面５１のレール５２内側の左サイドには、サイドランプ５７が設けられている。ゲート５８や風車５９も適所に設けられている。
レール５２内側の最下部には、入賞しなかった遊技球を回収するアウト口６０が設けられている。
更に、上記各部品５４〜５９やアウト口６０を避けた適宜箇所には、多数の遊技釘（符号省略）が打ち込まれている。なお、盤面５１は透明ガラス板（図示せず）により覆われ、遊技球が遊技領域５３から離脱することはない。
【００２４】
上記図柄表示画面２の表示領域は、例えば横方向に左、中、右、３つの表示領域ＬＡ，ＣＡ，ＲＡに分けられている。
これら３つの表示領域ＬＡ，ＣＡ，ＲＡには各々図柄Ｌ，Ｃ，Ｒが表示されるが、表示される図柄Ｌ，Ｃ，Ｒは変動可能であり、また、変動開始すると所定時間後に停止するようになされている。このときの表示図柄Ｌ，Ｃ，Ｒは、ここでは３つの表示領域ＬＡ，ＣＡ，ＲＡ共に０〜９までの数字であり、変動時にはこの数字０〜９が繰返し表示される。表示図柄Ｌ，Ｃ，Ｒの変動は、始動入賞口６への遊技球の入賞により、つまり後述始動入賞球センサによる始動入賞球の検出に応じて行われる、大当りか外れかの抽選と共に、又は抽選直後に開始される。
【００２５】
以上のような盤面５１の構成において、センタ飾り１に備わる固定装飾部品３の一対の線状発光部４１，４１の発光や可動装飾部品４の移動が、図柄表示画面２に表示される図柄や画像による所定の演出時、特に線状発光画像４６の表示による演出時に合わせて行われる。つまり、盤面５１の、図柄表示画面２及びこの図柄表示画面２を囲む部品が配置された領域で、広がりをもったダイナミックで斬新な演出が行われ、遊技者へのインパクトが一層強められた、満足する演出効果が発揮される。
また、可動装飾部品４の第２位置への移動時に現出される電飾部５（図２参照）が発光制御されて、更に斬新な演出を行い得る。
またこのセンタ飾り１は、可動装飾部品４の上辺側部分の全域が透光性を有するので、可動装飾部品４が固定装飾部品３の上記電飾部５を覆う位置にあるときにも、電飾部５による電飾効果を可動装飾部品４前面においても発揮させ得る。
浮彫り８（図２参照）、浮彫り９，１２は上記電飾部５の非発光時にも装飾効果を発揮する。
【００２６】
図７は、図６に示す盤面を備えた本発明に係るパチンコ機の要部を示すブロック図である。
図から分かるように、このパチンコ機は、入賞球センサ６１…、主制御装置６２及び遊技に係わる種々の演出動作等を制御する演出制御装置７１を備えて構成されている。この演出制御装置７１は、ここでは図柄制御装置６３、効果音制御装置６４、光源制御装置６５及び可動装飾部品制御装置６６を備えて構成されている。
図示するように、パチンコ機はまた、大入賞口駆動ソレノイド６７及び賞球払出制御装置６８も備えている。
【００２７】
上記入賞球センサ６１は、入賞球を検出するスイッチからなり、図６に示す盤面５１に設けられた入賞口５４〜５６に一対一対応で設けられている。このうち６１ａは、始動入賞口５４への入賞球を検出する始動入賞球センサである。
【００２８】
主制御装置６２は、上記制御装置６３〜６６，６８、大入賞口駆動ソレノイド６７等（パチンコ機全般）を制御する装置であり、入力ポート６２ａ、ＣＰＵ６２ｂ、出力ポート６２ｃ、ＲＯＭ６２ｄ及びＲＡＭ６２ｅ等を備えてなる。
ＲＯＭ６２ｄには、ＣＰＵ６２ｂが読み込んで実行するパチンコ遊技のプログラム及びこのプログラムの実行時に必要なデータ等が格納されている。ＲＡＭ６２ｅは、上記プログラムの実行時の作業領域等に使用される。
【００２９】
図７に示すように、主制御装置６２には、入賞球センサ６１…（始動入賞球センサ６１ａを含む。）が接続されており、主制御装置６２の入力ポート６２ａは、それら入賞球センサ６１…からの信号を受け、ＣＰＵ６２ｂに与える。
ＣＰＵ６２ｂは、入賞球を検出すると、出力ポート６２ｃを介して図柄制御装置６３、効果音制御装置６４、光源制御装置６５や賞球払出制御装置６８等に制御コマンドを出力し、あるいは大入賞口駆動ソレノイド６７を駆動させ、入賞に対応した遊技処理を行う。
【００３０】
またＣＰＵ６２ｂは、プログラムによって予め決められたイベントの発生時（図柄表示画面２に表示される図柄や画像による所定の演出時）、光源制御装置６５及び図柄制御装置６３に制御コマンドを出力し、図６に示すセンタ飾り１の固定装飾部品３の一対の線状発光部４１，４１を発光させると共に、その一対の発光相互を結ぶように線状発光画像４６を図柄表示画面２に表示させる。また、可動装飾部品制御装置６６にも制御コマンドを出力し、駆動機構６６ａを制御して可動装飾部品４を上述した第１位置から第２位置に移動させる。
ＣＰＵ６２ｂは、同時に効果音制御装置６４にも制御コマンドを出力し、上記イベントの発生に伴う効果音の出力も行わせる。
本実施形態では、光源制御装置６５はＣＰＵ６２ｂからの制御コマンドを受けて、図２示す電飾部５も発光制御する。ここでは、電飾部５を構成する複数のＬＥＤ（図示せず）を、図２において桃の花浮彫り８部分の左端から右端向けて繰返し流れるように点灯制御する。
上記イベントの発生時とは、いわゆるリーチに係る予告演出時あるいは大当り予告演出時や、後述する大当り抽選における大当り時等が例として挙げられるが、そのうちのいずれにするかは任意である。なお、可動装飾部品４は適時第２位置から第１位置に復帰移動される。
【００３１】
上記図柄制御装置６３は、一例を上述したように、遊技の演出、進行等のために種々の図柄、画像を図柄表示装置６３ａの画面２に表示させる装置である。また、効果音制御装置６４は、同じく遊技の演出、進行等のために種々の効果音（合成音声を含む。）をスピーカ６４ａから発生させる装置である。更に光源制御装置６５は、同じく遊技の演出、進行等のために図６に示す盤面５１上のサイドランプ５７、電飾部５及び線状発光部４１を、点灯、点消灯あるいは点滅させる装置である。
可動装飾部品制御装置６６は、上記のように可動装飾部品４の駆動機構６６ａを制御して可動装飾部品４を移動させる装置である。
大入賞口駆動ソレノイド６７は、大当り動作時に駆動して大入賞口５５を開放させるソレノイドである。また賞球払出制御装置６８は、入賞に対応した賞球払出処理を行う装置である。
【００３２】
ここで上記主制御装置６２は、遊技動作中、大当り決定乱数を所定の周期でカウンタ（図示せず）から生成させ、図６に示す始動入賞口５４への遊技球入賞時、つまり始動入賞球センサ６１ａが始動入賞球を検出した時に生成された上記乱数の値（乱数値）を取得し、予め設定されている大当り値と比較（大当り抽選）する。そして主制御装置６２は、その乱数値と大当り値とが一致する場合に大当りと判定し、以下に述べる大当り処理をする。
【００３３】
具体的には、図６に示す始動入賞口５４に遊技球が入賞すると、主制御装置６２は、始動入賞球センサ６１ａからの信号を受けて、上記大当り抽選をする。同時に、入賞に対する賞球の払出しを行わせるための賞球払出信号を出力すると共に、図柄変動開始信号を生成し、図柄制御装置６３を介して図柄表示装置６３ａを制御し、その画面２の左、中、右表示領域ＬＡ，ＣＡ，ＲＡの各々に表示されている図柄Ｌ，Ｃ，Ｒの変動を開始させる。
【００３４】
この３つの図柄Ｌ，Ｃ，Ｒは、最終的に停止するが、上記大当り抽選結果が大当りであれば、その停止時の図柄Ｌ，Ｃ，Ｒが所定の種類の図柄で揃う大当り図柄表示を行う。ここでは、図柄Ｌ，Ｃ，Ｒとして０〜９までの数字が用いられ、それらが種々の形態で変動し、停止時の図柄Ｌ，Ｃ，Ｒが所定の数字、例えば「７、７、７」で揃う大当り図柄表示を行う（図６参照）。
図柄表示装置６３ａが大当り図柄表示を行う（大当りになる）と大入賞口５５が開放し、より多くの入賞、賞球獲得が可能となる。
【００３５】
大当り処理は、図７に示す大入賞口駆動ソレノイド６７の駆動による上記大入賞口５５の開放動作の他、図柄表示画面２、スピーカ６４ａ、サイドランプ５７、電飾部５、線状発光部４１等による種々の演出動作（画像表示、効果音発生、ランプ，ＬＥＤ等の光源の点灯／点消灯／点滅動作）や賞球払出制御装置６８による賞球払出動作を含む。
【００３６】
以上のようなパチンコ機において、演出制御装置７１は、主制御装置６２のＣＰＵ６２ｂからの制御コマンドを受け、予め決められたイベントの発生時に、センタ飾り１に備わる固定装飾部品３の一対の線状発光部４１，４１を発光させ、また可動装飾部品４を第１位置から第２位置に移動させる。そして、これらの発光、移動を、図柄表示画面２に表示される図柄や画像による所定の演出時、特に線状発光画像４６の表示による演出時に合わせて行われる。つまり、盤面５１の、図柄表示画面２及びこの図柄表示画面２を囲む部品が配置された領域で、広がりをもったダイナミックで斬新な演出が行われ、遊技者へのインパクトが一層強められた、満足する演出効果が発揮される。
【図面の簡単な説明】
【００３７】
【図１】本発明に係るパチンコ機の一実施形態の要部（基本状態）を示す正面図である。
【図２】同じく要部（演出状態）を示す正面図である。
【図３】図１中の固定装飾部品を取り出して示す正面図である。
【図４】図１中の線状発光部を説明するための斜視図である。
【図５】図１中の可動装飾部品を取り出して示す正面図である。
【図６】本発明に係るパチンコ機の遊技盤面の一例を示す図である。
【図７】同上パチンコ機の要部を示すブロック図である。
【符号の説明】
【００３８】
１：装飾部品（センタ飾り）、２：図柄表示画面、３：固定装飾部品、４：可動装飾部品、５：電飾部、６：透光性飾り部、１１：飾り部、１３：隠蔽領域、１４：装飾部材、４１：線状発光部、４６：線状発光画像、５１：遊技盤面、７１：演出制御装置（演出制御手段）。
【図１】
2008113954.tif 000003
【図２】
2008113954.tif 000004
【図３】
2008113954.tif 000005
【図４】
2008113954.tif 000006
【図５】
2008113954.tif 000007
【図６】
2008113954.tif 000008
【図７】
2008113954.tif 000009